(57)【特許請求の範囲】
【請求項１】
下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る食器乾燥装置であって、棚部は、左右の棚側板、天板、底部に配する水受け及び線材にて形成した背網にて構成し、水受けは、トレー、トレーと対向して排気ダクトを構成する底部板にて構成し、底部板の周部から起立片を立ち上げ、トレーと起立片との接合部にアルミフレームを沿設し、アルミフレームの上部外縁部から略逆Ｕ字状の押さえリブを延出し、押さえリブにて起立片の上端部を支持して成ることを特徴とする食器乾燥装置。
【請求項２】
天板を板金にて形成して成ることを特徴とする請求項１記載の食器乾燥装置。
【請求項３】
トレーに排気口を形成し、排気口を覆うように笠部を立ち上げ、排気口の縁部に水返しを起立して成ることを特徴とする請求項１記載の食器乾燥装置。
【請求項４】
底部板に排出口を形成し、排出口の近傍に布巾掛けを設けて成ることを特徴とする請求項１記載の食器乾燥装置。
【請求項５】
水受けにおけるアルミフレームの上端部に差込み受け部を形成し、トレーの外縁部に差込み縁を形成し、差込み縁を差込み受け部に差込み、差込み奥部にパッキンを配設して成ることを特徴とする請求項１記載の食器乾燥装置。
【請求項６】
棚側板に挟持リブを設け、トレーの外縁部に起立リブを形成し、底部板の周部から起立片を立ち上げた水受け本体を棚側板に取り付け、水受け本体と挟持リブとの間にトレーの外縁部を差込み保持し、起立リブを挟持リブの下面に当接して成ることを特徴とする請求項１記載の食器乾燥装置。
【請求項７】
水受けにトレーからの水を受ける水受け皿を引き出し自在に設け、水受け皿の皿側壁の一部を低くしてオーバーフロー部を形成し、水受け皿の収納部の底部板に排水孔を形成して成ることを特徴とする請求項１記載の食器乾燥装置。
【請求項８】
排水孔の周部下面に水切り突起を形成して成ることを特徴とする請求項７記載の食器乾燥装置。
【請求項９】
水受けにトレーからの水を受ける水受け皿を引き出し自在に設け、水受け皿の収納部に水受け皿の側部に当接して収納をガイドするガイド突起を形成して成ることを特徴とする請求項１又は７記載の食器乾燥装置。
【発明の詳細な説明】
【０００１】
【発明の属する技術分野】
本発明は、外部ケースに対して棚部を昇降させる食器乾燥装置に関し、詳しくは、棚部の前後を見通せるようにして外観を高めながら、棚部の底部に構成される水受けの強度を高めて棚部の全体強度を高めようとする技術に係るものである。
【０００２】
【従来の技術】
従来、下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る食器乾燥装置においては、棚部の背板は板状体にて形成されていて、棚部を下降させた場合に、棚部の背部を見通すことができなく、外観を高め難いものとなっていた。
【０００３】
【発明が解決しようとする課題】
本発明はこのような問題に鑑みてなされたものであり、棚部の前後を見通せるようにして外観を高めながら、棚部の底部に構成される水受けの強度を高めて棚部の全体強度を高めることができる食器乾燥装置を提供することを課題とするものである。
【０００４】
【課題を解決するための手段】
請求項１においては、下方が開放された外部ケース１側の昇降索３を棚部２に連結して棚部２を外部ケース１内に格納する格納位置に上昇及び物品取出し・収納位置に下降自在に設け、棚部２の格納状態において温風を供給して乾燥を図る食器乾燥装置Ａであって、棚部２は、左右の棚側板８１、８１、天板１６、底部に配する水受け２６及び線材にて形成した背網５４にて構成し、水受け２６は、トレー８０、トレー８０と対向して排気ダクト８２を構成する底部板８３にて構成し、底部板８３の周部から起立片８４を立ち上げ、トレー８０と起立片８４との接合部にアルミフレーム８５を沿設し、アルミフレーム８５の上部外縁部から略逆Ｕ字状の押さえリブ８６を延出し、押さえリブ８６にて起立片８４の上端部を支持していることを特徴とするものである。このような構成によれば、線材にて形成した背網５４を使用することで、棚部２を下降させた状態で棚部２を前後に見通すことができ、食器乾燥装置Ａの商品価値を高めることができ、例えば、成形品のトレー８０及びこれに対向する底部板８３の起立片８４にアルミフレーム８５が沿設され、かつ、略逆Ｕ字状の押さえリブ８６にて底部板８３の起立片８４の上端部を挿入して支持することができ、成形品のトレー８０の反り防止することができる。
【０００５】
請求項２においては、天板１６を板金にて形成していることを特徴とするものである。このような構成によれば、剛性の高い板金を用いることで、背網５４を備えた棚部２の強度を高めることができ、回路ブロック、昇降手段などの熱に弱い部材を温度が上がる棚部２内部とを仕切って保護することができる。
【０００６】
請求項３においては、トレー８０に排気口８８を形成し、排気口８８を覆うように笠部８７を立ち上げ、排気口８８の縁部に水返し８９を起立していることを特徴とするものである。このような構成によれば、トレー８０の排気口８８が笠部８７にて覆われて排気口８８から強い温風が排気口８８をへて排出口２８へと排気されるのを防止することができ、かつ、排気口８８の縁部に立ち上げた水返し８９によってトレー８０内の水が排気ダクト８２側に流入するのを防止することができる。
【０００７】
請求項４においては、底部板８３に排出口２８を形成し、排出口２８の近傍に布巾掛け９１を設けていることを特徴とするものである。このような構成によれば、排気ダクト８２の排出口２８から排出された温風にて布巾掛け９１の布巾等を乾燥させることができる。
【０００８】
請求項５においては、水受け２６におけるアルミフレーム８５に差込み受け部９２を形成し、トレー８０の外縁部に差込み縁９３を形成し、差込み縁９３を差込み受け部９２に差込み、差込み奥部にパッキン９４を配設していることを特徴とするものである。このような構成によれば、トレー８０の外縁部をアルミフレーム８５の差込み受け部９２に差込むことによって、トレー８０の支持強度を高めることができ、例えば、成形品のトレー８０の反りや変形を防止でき、特に、食器乾燥装置Ａとして使用する際の温度による形状の経時変化を防止でき、かつ、仮に、反りや変形が生じていてもトレー８０を所期の形状を維持して保持することができる。更に、差込み縁９３の奥部にはパッキン９４が存在していることから、食器を取り出す際に食器から落ちる水滴がトレー８０の外縁部から裏面側に廻り込むのを防止することができる。
【０００９】
請求項６においては、棚側板８１に挟持リブ９６を設け、トレー８０の外縁部に起立リブ１０８を形成し、底部板８３の周部から起立片８４を立ち上げた水受け本体９５を棚側板８１に取り付け、水受け本体９５と挟持リブ９６との間にトレー８０の外縁部を差込み保持し、起立リブ１０８を挟持リブ９６の下面に当接していることを特徴とするものである。このような構成によれば、棚側板８１に対して固定した水受け本体９５は位置が決まっていることから、水受け本体９５と棚側板８１の挟持リブ９６間にトレー８０の外縁部を挿入することでトレー８０の支持強度を高めることができ、例えば、成形品のトレー８０の反りや変形を防止でき、特に、食器乾燥装置Ａとして使用する際の温度による形状の経時変化を防止でき、かつ、仮に、反りや変形が生じていてもトレー８０を所期の形状を維持して保持することができるという利点がある。更に、起立リブ１０８を挟持リブ９６の下面に当接していることから、食器を取り出す際に食器から落ちる水滴がトレー８０の外縁部から裏面側に廻り込むのを防止することができ、しかも、起立リブ１０８が堰の機能をしてトレー８０の裏面側への水の浸入を防止することができる。
【００１０】
請求項７においては、水受け２６にトレー８０からの水を受ける水受け皿９７を引き出し自在に設け、水受け皿９７の皿側壁９８の一部を低くしてオーバーフロー部９９を形成し、水受け皿９７の収納部の底部板８３に排水孔１００を形成していることを特徴とするものである。このような構成によれば、水受け皿９７に一定以上の排水が溜まるとオーバーフロー部９９より溢れ出て排水孔１００より滴下して排水することができ、このように、特定箇所に形成したオーバーフロー部９９及び排水孔１００より排水ができ、例えば、排水孔１００を流し台のシンクの位置に合わせておくことで、食器乾燥装置Ａからの排水をシンクへと導くことができ、又、シンクにおいて食器乾燥装置Ａからの排水を確認することで、水受け皿９７が満水状態になっていることを知ることができる。
【００１１】
請求項８においては、排水孔１００の周部下面に水切り突起１０１を形成していることを特徴とするものである。このような構成によれば、排水孔１００の周部下面に水切り突起１０１によって、水受け皿９７からオーバーフローした排水は排水孔１００の下縁より水受け２６の底部板８３の下面を表面張力により伝って排水されるのを防止することができ、水切り突起１０１によって所定の位置に滴下することができる。
【００１２】
請求項９においては、水受け２６にトレー８０からの水を受ける水受け皿９７を引き出し自在に設け、水受け皿９７の収納部に水受け皿９７の側部に当接して収納をガイドするガイド突起１０２を形成していることを特徴とするものである。このような構成によれば、水受け皿９７に例え変形が生じていてもガイド突起１０２が水受け皿９７の側部に当接して所定の位置に円滑に導入することができ、トレー８０の排水口３１に例えば形成した導入用のリブとの干渉を防止することができ、リブによってトレー８０から水受け皿９７への排水を円滑におこないながら、水受け皿９７の収納を円滑におこなうことができる。
【００１３】
【発明の実施の形態】
以下、本発明の実施の形態を説明する。図１は概略側断面図である。図２は全体概略正面図である。図３は概略側断面図である。図４は概略側断面図である。図５は概略横断面図である。
【００１４】
食器乾燥装置Ａは、天袋の一部を構成するもので、例えば、調理部と食堂とを仕切る天袋の一部として設置され、その下方にはカウンター(図示せず)が配設されている。以下、詳述する。
【００１５】
外部ケース１は下方が開放された箱型に形成され、開くことができない擬似扉２５を備え、このような外部ケース１の内部上部にはファン１７とヒータ１８を備えた温風供給部１９が設置され、更に、滑車２０と巻き取りドラム１１と駆動モータ１２を備えた昇降機構部１３が設置され、カバーにて囲繞されて湿気等が入らないように気密が保たれている。カバーには温風吹出し口を形成している。ところで、ファン１７はヒータ１８とは独立して駆動できるようになっていて、ヒータ１８を駆動させる温風供給、又は、ヒータ１８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１６】
昇降手段４である昇降機構部１３からの一対の昇降索３であるベルト２７，２７に棚部２を係着していて、駆動モータ１２によって棚部２を昇降することができるようにしている。
【００１７】
棚部２は天板１６と水受け２６との間に、例えば、カラー塗装して錆び止めを図った金属線材１５を複数本架設して、略かご状にしたものであり、金属線材１５，１５間に皿を挿入して保持したり、又、ちゃわんのような容器状の食器を内部に収容できるようにしている。
【００１８】
外部ケース１の側板２１側に沿って吸気ダクト２２が付設され、吸気口２３が外部ケース１の下端に形成されている。吸気口２３には吸気フィルターが着脱自在に取付けられている。
【００１９】
棚部２の水受け２６はパン状に形成され、ビスにて止められ、ビスを外すことで棚部２から取外すことができるようにしている。水受け２６には水勾配が形成され、水勾配の最も低い部分に排水口３１を形成している。又、排気口２８を設けて排気するようにしている。
【００２０】
外部ケース１の対向する側板２１には平面視において略Ｈ形となる縦レール５１を取付けている。棚部２にはブラケット５を取付けてあり、ブラケット５には縦レール５１に対向してローラ５３を取付けてあり、対向する縦レール５１をガイドとして棚部２を円滑に昇降させることができるようにしている。
【００２１】
図１に示すように、ガイド機能がない棚部２の背板５４と疑似扉２５との下端部に補助ガイド４７を設けて棚部２が外部ケース１に格納された状態において棚部２の底部４６と外部ケース１との間に生じる隙間を小に抑えるようにしている。補助ガイド４７は小片であり、ボス５５を外部ケース１の背板２９に打ち込み、又、疑似扉２５には中間部材５６を介して補助ガイド４７を取付けるようにしている。中間部材５６はビス５７にて疑似扉２５に固定される。
【００２２】
このような構成によれば、棚部２を上昇させて外部ケース１に格納した状態において、外部ケース１に設けた補助ガイド４７が棚部２の底部４６の周部に当接し、棚部２の底部４６と外部ケース１とに間に設定以上の隙間が生じることがなく、例えば、経年変化で偏荷重がかかるようになっても、確実に設定通りの隙間を保つことができ、食器乾燥機とする食器乾燥装置Ａにおいてごきぶり等が侵入するのを防止することができるものである。
【００２３】
棚部２の下端の水受け２６の底部板８３には外周縁部４８がフランジ状に延出されている。外部ケース１側の背板２９及び疑似扉２５側に取付けられる中間部材５６には外周縁部４８に弾接する筒状のパッキン４９を先端に備えたシール材５２を付設している。シール材５２は全体として断面Ｔ字状でシール機能を施す先端部が筒状のパッキン４９が形成されている。
【００２４】
しかして、筒状のパッキン４９が棚部２の外周縁部４８に任意に変形して弾接するのであり、例えば、昇降索３の伸びなどによる上下方向のずれも吸収することができ、あらゆる方向の隙間のばらつきが生じても、確実にシールを図ることができ、外部ケース１と棚部２との隙間を、一層、無くすことができ、長期にわたって気密性の向上を図ることができるものである。尚、図示はしないが、外部ケース１の側板２１、２１にも筒状のパッキン４９を備えたシール材５２を付設しているものである。
【００２５】
図１及び図６に示すように、棚部２は、左右の棚側板８１、８１、天板１６、底部に配する水受け２６及び線材にて形成した背網５４にて構成している。水受け２６は、トレー８０、トレー８０と対向して排気ダクト８２を構成する底部板８３にて構成している。底部板８３の周部から起立片８４を立ち上げている。トレー８０と起立片８４との接合部にアルミフレーム８５を沿設している。アルミフレーム８５の上部外縁部から略逆Ｕ字状の押さえリブ８６を延出している。押さえリブ８６にて起立片８４の上端部を支持している。
【００２６】
しかして、線材にて形成した背網５４を使用することで、棚部２を下降させた状態で棚部２を前後に見通すことができ、食器乾燥装置Ａの商品価値を高めることができ、例えば、成形品のトレー８０及びこれに対向する底部板８３の起立片８４にアルミフレーム８５が沿設され、かつ、略逆Ｕ字状の押さえリブ８６にて底部板８３の起立片８４の上端部を挿入して支持することができ、成形品のトレー８０の反り防止することができるものである。
【００２７】
この場合、天板１６を板金にて形成しているものである。しかして、剛性の高い板金を用いることで、背網５４を備えた棚部２の強度を高めることができ、回路ブロック、昇降手段などの熱に弱い部材を温度が上がる棚部２内部とを仕切って保護することができるものである。
【００２８】
更に、トレー８０に排気口８８を形成し、排気口８８を覆うように笠部８７を立ち上げ、排気口８８の縁部に水返し８９を起立している。しかして、トレー８０の排気口８８が笠部８７にて覆われて排気口８８から強い温風が排気口８８をへて排出口２８へと排気されるのを防止することができ、かつ、排気口８８の縁部に立ち上げた水返し８９によってトレー８０内の水が排気ダクト８２側に流入するのを防止することができるものである。
【００２９】
又、底部板８４に排出口２８を形成し、排出口２８の近傍に布巾掛け９１を設けている。しかして、排気ダクト８２の排出口２８から排出された温風にて布巾掛け９１の布巾等を乾燥させることができるものである。
【００３０】
図１０乃至図２２は他の実施の形態を示し、但し、本実施の形態の基本構成は上記実施の形態と共通であり、共通する部分には同一の符号を付して説明は省略する。
【００３１】
図１２に示すように、水受け２６におけるアルミフレーム８５に差込み受け部９２を形成し、トレー８０の外縁部に差込み縁９３を形成し、差込み縁９３を差込み受け部９２に差込んでいる。差込み奥部には、パッキン９４を配設している。パッキン９４は、発泡ゴムや弾性を備えたプラスチック等であって、断面形状は丸や角形等であるが、その他の材質のものであっても、その他の断面形状のものであってもよい。
【００３２】
このような構成によれば、トレー８０の外縁部をアルミフレーム８５の差込み受け部９２に差込むことによって、トレー８０の支持強度を高めることができ、樹脂成形品のトレー８０の反りや変形を防止でき、特に、食器乾燥装置Ａとして使用する際の温度による形状の経時変化を防止できるのである。更に、反りや変形が生じていてもトレー８０を所期の形状を維持して保持することができるのである。しかも、差込み縁９３の奥部にはパッキン９４が存在していることから、食器１０３を取り出す際に食器１０３から落ちる水滴１０４がトレー８０の外縁部から裏面側に廻り込むのを防止することができるのである。
【００３３】
図１３及び図６に示すように、アルミフレーム８５が存在していない食器乾燥器Ａの左右部分の棚側板８１に挟持リブ９６を設け、トレー８０の外縁部に起立リブ１０８を形成し、底部板８３の周部から起立片８４を立ち上げた水受け本体９５を棚側板８１に取り付け、水受け本体９５と挟持リブ９６との間にトレー８０の外縁部を差込み保持し、起立リブ１０８を挟持リブ９６の下面に当接している。
【００３４】
図１４に示すように、例えば、棚側板８１の内面にピース１０６を取り付け、水受け本体９５の起立片８４、８４のコーナー部に切欠き１０５を形成し、切欠き１０５にピース１０６を合致させ、タッピングビス１０７が棚側板８１、ピース１０６を貫通してアルミフレーム８５のタッピングホールに嵌入してアルミフレーム８５を棚側板８１に固定するのであり、又、水受け本体９５と棚側板８１とは水が漏洩しない位置において数本のビス（図示せず）にて止められていることで固定されて位置関係は決まっている。
【００３５】
このような構成によれば、棚側板８１に対して固定した水受け本体９５は位置が決まっていることから、水受け本体９５と棚側板８１の挟持リブ９６間にトレー８０の外縁部を挿入することでトレー８０の支持強度を高めることができ、樹脂成形品のトレー８０の反りや変形を防止でき、特に、食器乾燥装置Ａとして使用する際の温度による形状の経時変化を防止でき、かつ、反りや変形が生じていてもトレー８０を所期の形状を維持して保持することができるのである。
【００３６】
更に、起立リブ１０８を挟持リブ９６の下面に当接していることから、食器１０３を取り出す際に食器１０３から落ちる水滴１０４がトレー８０の外縁部から裏面側に廻り込むのを防止することができ、しかも、起立リブ９が堰の機能をしてトレー８０の裏面側への水の浸入を防止することができるのである。
【００３７】
又、水受け２６にはトレー８０からの水を受ける水受け皿９７を引き出し自在に設けている。図１６及び図１７に示すように、水受け皿９７の一方の皿側壁９８の一部を低くしてオーバーフロー部９９を形成している。水受け２６においては、水受け皿９７の収納部の底部板８３に排水孔１００を形成している。排水孔１００はオーバーフロー部９９の直下に位置している。
【００３８】
このような構成によれば、水受け皿９７に一定以上の排水が溜まるとオーバーフロー部９９より溢れ出て排水孔１００より滴下して排水することができ、このように、オーバーフロー部９９の直下に形成した排水孔１００より円滑に排水ができるのである。この場合、例えば、排水孔１００を流し台のシンク（図示せず）の上の位置に位置させておくことで、食器乾燥装置Ａからの排水をシンクへと滴下することができ、又、シンクにおいて食器乾燥装置Ａからの排水を確認することで、水受け皿９７が満水状態になっていることを知ることができるものである。
【００３９】
更に述べると、水受け皿９７を正面から見て右側の皿側壁９８が左側のものに比べて約３ｍｍ程度低くなってオーバーフロー部９９を形成している。排水孔１００は水受け皿９７の収納部の右側前部に形成している。ところで、棚部２が傾くことを考慮して、排水孔１００は水受け皿９７の収納部の左側にも設けている。
【００４０】
図２２に示すように、排水孔１００の周部下面に切欠きを設けて水切り突起１０１を形成している。しかして、排水孔１００の周部下面に水切り突起１０１によって、水受け皿９７からオーバーフローした排水は排水孔１００の下縁より水受け２６の底部板８３の下面を表面張力により伝って排水されるのを防止することができ、水切り突起１０１によって所定の位置に滴下することができるのである。又、排水孔１００は裏面側の大径孔１００ａと表面側の同心円の小径孔１００ｂとで形成され、水切り突起１０１は裏面から見て扇形に形成されている。
【００４１】
図２１に示すように、水受け皿９７の収納部に水受け皿９７の側部に当接して収納をガイドするガイド突起１０２を形成している。ガイド突起１０２は、水受け皿９７の両側部及び後部の３箇所に形成している。しかして、水受け皿９７に例え変形が生じても、ガイド突起１０２が水受け皿９７の両側部及び奥部に当接して所定の位置に円滑に導入することができ、水勾配が付けられたトレー８０の排水口３１のリブ（図示せず）との干渉を防止することができ、トレー８０から水受け皿９７への排水を円滑におこないながら、水受け皿９７の収納を円滑におこなうことができるものである。
【００４２】
【発明の効果】
請求項１においては、下方が開放された外部ケース側の昇降索を棚部に連結して棚部を外部ケース内に格納する格納位置に上昇及び物品取出し・収納位置に下降自在に設け、棚部の格納状態において温風を供給して乾燥を図る食器乾燥装置であって、棚部は、左右の棚側板、天板、底部に配する水受け及び線材にて形成した背網にて構成し、水受けは、トレー、トレーと対向して排気ダクトを構成する底部板にて構成し、底部板の周部から起立片を立ち上げ、トレーと起立片との接合部にアルミフレームを沿設し、アルミフレームの上部外縁部から略逆Ｕ字状の押さえリブを延出し、押さえリブにて起立片の上端部を支持しているから、線材にて形成した背網を使用することで、棚部を下降させた状態で棚部を前後に見通すことができ、食器乾燥装置の商品価値を高めることができ、例えば、成形品のトレー及びこれに対向する底部板の起立片にアルミフレームが沿設され、かつ、略逆Ｕ字状の押さえリブにて底部板の起立片の上端部を挿入して支持することができ、成形品のトレーの反り防止することができるという利点がある。
【００４３】
請求項２においては、請求項１の構成に加えて、天板を板金にて形成しているから、請求項１の効果に加えて、剛性の高い板金を用いることで、背網を備えた棚部の強度を高めることができ、回路ブロック、昇降手段などの熱に弱い部材を温度が上がる棚部内部とを仕切って保護することができるという利点がある。
【００４４】
請求項３においては、請求項１の構成に加えて、トレーに排気口を形成し、排気口を覆うように笠部を立ち上げ、排気口の縁部に水返しを起立しているから、トレーの排気口が笠部にて覆われて排気口から強い温風が排気口をへて排出口へと排気されるのを防止することができ、かつ、排気口の縁部に立ち上げた水返しによってトレー内の水が排気ダクト側に流入するのを防止することができるという利点がある。
【００４５】
請求項４においては、請求項１の構成に加えて、底部板に排出口を形成し、排出口の近傍に布巾掛けを設けているから、請求項１の効果に加えて、排気ダクトの排出口から排出された温風にて布巾掛けの布巾等を乾燥させることができるという利点がある。
【００４６】
請求項５においては、請求項１の構成に加えて、水受けにおけるアルミフレームに差込み受け部を形成し、トレーの外縁部に差込み縁を形成し、差込み縁を差込み受け部に差込み、差込み奥部にパッキンを配設しているから、請求項１の効果に加えて、トレーの外縁部をアルミフレームの差込み受け部に差込むことによって、トレーの支持強度を高めることができ、例えば、成形品のトレーの反りや変形を防止でき、特に、食器乾燥装置として使用する際の温度による形状の経時変化を防止でき、かつ、仮に、反りや変形が生じていてもトレーを所期の形状を維持して保持することができるという利点がある。更に、差込み縁の奥部にはパッキンが存在していることから、食器を取り出す際に食器から落ちる水滴がトレーの外縁部から裏面側に廻り込むのを防止することができるという利点がある。
【００４７】
請求項６においては、請求項１の構成に加えて、棚側板に挟持リブを設け、トレーの外縁部に起立リブを形成し、底部板の周部から起立片を立ち上げた水受け本体を棚側板に取り付け、水受け本体と挟持リブとの間にトレーの外縁部を差込み保持し、起立リブを挟持リブの下面に当接しているから、請求項１の効果に加えて、棚側板に対して固定した水受け本体は位置が決まっていることから、水受け本体と棚側板の挟持リブ間にトレーの外縁部を挿入することでトレーの支持強度を高めることができ、例えば、成形品のトレーの反りや変形を防止でき、特に、食器乾燥装置として使用する際の温度による形状の経時変化を防止でき、かつ、仮に、反りや変形が生じていてもトレーを所期の形状を維持して保持することができるという利点がある。更に、起立リブを挟持リブの下面に当接していることから、食器を取り出す際に食器から落ちる水滴がトレーの外縁部から裏面側に廻り込むのを防止することができ、しかも、起立リブが堰の機能をしてトレーの裏面側への水の浸入を防止することができるという利点がある。
【００４８】
請求項７においては、請求項１の構成に加えて、水受けにトレーからの水を受ける水受け皿を引き出し自在に設け、水受け皿の皿側壁の一部を低くしてオーバーフロー部を形成し、水受け皿の収納部の底部板に排水孔を形成しているから、請求項１の効果に加えて、水受け皿に一定以上の排水が溜まるとオーバーフロー部より溢れ出て排水孔より滴下して排水することができ、このように、特定箇所に形成したオーバーフロー部及び排水孔より排水ができ、例えば、排水孔を流し台のシンクの位置に合わせておくことで、食器乾燥装置からの排水をシンクへと導くことができ、又、シンクにおいて食器乾燥装置からの排水を確認することで、水受け皿が満水状態になっていることを知ることができるという利点がある。
【００４９】
請求項８においては、請求項７の構成に加えて、排水孔の周部下面に水切り突起を形成しているから、請求項７の効果に加えて、排水孔の周部下面に水切り突起によって、水受け皿からオーバーフローした排水は排水孔の下縁より水受けの底部板の下面を表面張力により伝って排水されるのを防止することができ、水切り突起によって所定の位置に滴下することができるという利点がある。
【００５０】
請求項９においては、請求項１又は７の構成に加えて、水受けにトレーからの水を受ける水受け皿を引き出し自在に設け、水受け皿の収納部に水受け皿の側部に当接して収納をガイドするガイド突起を形成しているから、請求項１又は７の効果に加えて、水受け皿に例え変形が生じていてもガイド突起が水受け皿の側部に当接して所定の位置に円滑に導入することができ、トレーの排水口に例えば形成した導入用のリブとの干渉を防止することができ、トレーから水受け皿への排水を円滑におこないながら、水受け皿の収納を円滑におこなうことができるという利点がある。
【図面の簡単な説明】
【図１】本発明の実施の一形態を示し、（ａ）は概略側断面図、（ｂ）は要部の拡大断面図である。
【図２】同上の全体概略正面図である。
【図３】同上の概略側断面図である。
【図４】同上の概略側断面図である。
【図５】同上の概略横断面図である。
【図６】同上の概略分解斜視図である。
【図７】同上の要部の概略平面図である。
【図８】（ａ）は部分断面図、（ｂ）は作用を示す断面図である。
【図９】（ａ）は概略平面図、（ｂ）は側面図である。
【図１０】同上の他の実施の形態の正断面図である。
【図１１】同上の平断面図である。
【図１２】同上の部分側断面図である。
【図１３】同上の正断面図である。
【図１４】同上の概略分解斜視図である。
【図１５】（ａ）は同上のトレーの平面図、（ｂ）は拡大平面図である。
【図１６】同上の水受け皿の平面図である。
【図１７】（ａ）は同上の側面図、（ｂ）は部分断面図である。
【図１８】同上の側断面図である。
【図１９】同上の正面図である。
【図２０】同上の水受け皿と水受け本体との関係を示す平面図である。
【図２１】（ａ）は水受け皿の収納部の平面図、（ｂ）は部分断面図である。
【図２２】同上の排水孔の断面図である。
【符号の説明】
１    外部ケース
２    棚部
３    昇降索
１６  天板
２６  水受け
５４  背網
８０  トレー
８１  棚側板
８２  排気ダクト
８３  底部板
８４  起立片
８５  アルミフレーム
８６  押さえリブ
【図１】
0003736352.tif 000002
【図２】
0003736352.tif 000003
【図３】
0003736352.tif 000004
【図４】
0003736352.tif 000005
【図５】
0003736352.tif 000006
【図６】
0003736352.tif 000007
【図７】
0003736352.tif 000008
【図８】
0003736352.tif 000009
【図９】
0003736352.tif 000010
【図１０】
0003736352.tif 000011
【図１１】
0003736352.tif 000012
【図１２】
0003736352.tif 000013
【図１３】
0003736352.tif 000014
【図１４】
0003736352.tif 000015
【図１５】
0003736352.tif 000016
【図１６】
0003736352.tif 000017
【図１７】
0003736352.tif 000018
【図１８】
0003736352.tif 000019
【図１９】
0003736352.tif 000020
【図２０】
0003736352.tif 000021
【図２１】
0003736352.tif 000022
【図２２】
0003736352.tif 000023